(57)【要約】【課題】食べ物としてのホールケーキと非常によく似た形態を、容易に、斬新に提供することができる装飾置物の提供を課題とする。【解決手段】円形のケーキ本体１の上面と側周面とに装飾要素３０を施してなるホールケーキ状の装飾置物であって、前記ケーキ本体１の上面の中央部に、前記装飾要素３０として、少なくとも、１乃至複数個の研磨された光沢のあるパワーストーンからなる大形置石３１を配置すると共に、前記中央部のパワーストーンの周りに、複数のプリザーブドフラワー３３を配置してある。【選択図】      図１
0003173599.tif 000002
【実用新案登録請求の範囲】
【請求項１】
円形のケーキ本体の上面と側周面とに装飾要素を施してなるホールケーキ状の装飾置物であって、前記ケーキ本体の上面の中央部に、前記装飾要素として、少なくとも、１乃至複数個の研磨された光沢のあるパワーストーンからなる大形置石を配置すると共に、前記中央部のパワーストーンの周りに、複数のプリザーブドフラワーを配置してあることを特徴とする装飾置物。
【請求項２】
大形置石の他に、ケーキ本体の上面と側周面との何れか一方若しくは両方に、装飾要素として、少なくとも、研磨された光沢のあるパワーストーンからなる小形石を散りばめて配置してあることを特徴とする請求項１に記載の装飾置物。
【請求項３】
ケーキ本体は、スポンジ体の少なくとも上面と側周面とを布製若しくは紙製のカバーで被覆すると共に、該カバーにケーキの下地色として１乃至複数色を施してあることを特徴とする請求項１又は２に記載の装飾置物。
【請求項４】
ケーキ本体は台紙上に固着状態に配置されていることを特徴とする請求項１〜３の何れかに記載の装飾置物。
【請求項５】
ケーキ本体の上面の中央部に配置される１乃至複数個のパワーストーンが、ローズクォーツであることを特徴とする請求項１〜４の何れかに記載の装飾置物。
【請求項６】
ケーキ本体の上面の中央部に配置される１乃至複数個のパワーストーンが、アメジスト、ペリドット、カーネリアン、水晶、アゲート、ロードクロサイト、ラピスラズリ、タイガーアイ、フローライト、シトリン、ガーネットの中から選ばれる１乃至複数種類のパワーストーンであることを特徴とする請求項１〜４の何れかに記載の装飾置物。
【請求項７】
パワーストーンは、透明、半透明、不透明からなる貴石、半貴石のうち、透明〜半透明のものと、不透明のものとを組み合わせて用いていることを特徴とする請求項１〜６の何れかに記載の装飾置物。
【考案の詳細な説明】
【技術分野】
【０００１】
本考案は装飾置物に関し、より詳しくはホールケーキ状の装飾置物に関する。
【背景技術】
【０００２】
従来、食べ物を模した種々の飾り品が世の中に出回っている。食べ物であるケーキを模した装飾品もしかりである。
実開昭６１−９０５９９号公報（特許文献１）には、飾り紐、テープ等を用いた手芸用イミテーションケーキが開示されている。
特開平１０−１７８８９８号公報（特許文献２）には、ケーキ風台座を有する盛り花が提供されている。
実用新案登録第３０５７２８９号公報（特許文献３）には、スポンジ・ピース（１）の組み合わせで形が変わるフラワーケーキが提供されている。
実用新案登録第３１３３１５４号公報（特許文献４）には、造形ケーキ菓子が提供されている。
【先行技術文献】
【特許文献】
【０００３】
【特許文献１】実開昭６１−９０５９９号公報
【特許文献２】特開平１０−１７８８９８号公報
【特許文献３】実用新案登録第３０５７２８９号公報
【特許文献４】実用新案登録第３１３３１５４号公報
【考案の概要】
【考案が解決しようとする課題】
【０００４】
上記特許文献１に示す従来の発明は、ケーキ本体（１）の上面を飾り紐（３、４）、造花（５）で装飾し、側面を広幅テープ（２）で装飾したものである。しかし、紐（３、４）、造花（５）、広幅テープ（２）を用いている点で、明らかにイミテーションケーキであることがわかり、ケーキに煌びやかさ、華やかさ、リアリティー性がない。
上記特許文献２に示す従来の発明は、ケーキ状にした台座（１）の上面中央に水溜め部（１２）を設けて、吸水性スポンジ（２）を施した盛り花３を差し入れるようにしたものである。しかし、あくまで生花を使用した装飾物であり、一見して食べ物としてのケーキではないことが判る。
上記特許文献３に示す従来の発明は、生花または造花でスポンジピース（１）の上面を飾ったものである。しかし、上面をほぼ花一色で飾るものであり、花の飾りに充填を置くものであり、食べ物としてのケーキとは明らかに区別できるものである。
上記特許文献４に示す従来の発明は、鉢植えの花状にしたケーキ菓子である。しかし、本体が鉢状で、ホールケーキの形状とは大きく異なるものである。またこのケーキ菓子は食べ物そのものである。
【０００５】
そこで本考案はホールケーキ状の装飾置物の提供を課題とし、しかも食べ物としてのホールケーキと非常によく似た形態を、容易に、斬新に提供することができる装飾置物の提供を課題とする。
【課題を解決するための手段】
【０００６】
本考案の装飾置物は、円形のケーキ本体の上面と側周面とに装飾要素を施してなるホールケーキ状の装飾置物であって、前記ケーキ本体の上面の中央部に、前記装飾要素として、少なくとも、１乃至複数個の研磨された光沢のあるパワーストーンからなる大形置石を配置すると共に、前記中央部のパワーストーンの周りに、複数のプリザーブドフラワーを配置してあることを第１の特徴としている。
また本考案の装飾置物は、上記第１の特徴に加えて、大形置石の他に、ケーキ本体の上面と側周面との何れか一方若しくは両方に、装飾要素として、少なくとも、研磨された光沢のあるパワーストーンからなる小形石を散りばめて配置してあることを第２の特徴としている。
また本考案の装飾置物は、上記第１又は第２の特徴に加えて、ケーキ本体は、スポンジ体の少なくとも上面と側周面とを布製若しくは紙製のカバーで被覆すると共に、該カバーにケーキの下地色として１乃至複数色を施してあることを第３の特徴としている。
また本考案の装飾置物は、上記第１〜第３の何れかの特徴に加えて、ケーキ本体は台紙上に固着状態に配置されていることを第４の特徴としている。
また本考案の装飾置物は、上記第１〜第４の何れかの特徴に加えて、ケーキ本体の上面の中央部に配置される１乃至複数個のパワーストーンが、ローズクォーツであることを第５の特徴としている。
また本考案の装飾置物は、上記第１〜第４の何れかの特徴に加えて、ケーキ本体の上面の中央部に配置される１乃至複数個のパワーストーンが、アメジスト、ペリドット、カーネリアン、水晶、アゲート、ロードクロサイト、ラピスラズリ、タイガーアイ、フローライト、シトリン、ガーネットの中から選ばれる１乃至複数種類のパワーストーンであることを第６の特徴としている。
また本考案の装飾置物は、上記第１〜第６の何れかの特徴に加えて、パワーストーンは、透明、半透明、不透明からなる貴石、半貴石のうち、透明〜半透明のものと、不透明のものとを組み合わせて用いていることを第７の特徴としている。
【考案の効果】
【０００７】
請求項１に記載の装飾置物によれば、円形のケーキ本体の上面の中央に研磨された光沢のあるパワーストーンからなる大形置石を配置することで、上面中央に光沢のあるチョコレート或いはゼリーが施されたホールケーキとそっくりの装飾を施すことができ、且つよく見れば、それがパワーストーンであり、癒しの効果や幸運等をもたらす縁起のいい置物であることがわかる。更に中央のパワーストーンの周りに複数のプリザーブドフラワーを配置することで、本物の花のようなフラワー菓子が施されたと思わせるホールケーキ状の装飾置物を提供することができる。
従って請求項１に記載の装飾置物によれば、幸運等をもたらす特殊な力をやどすとされるパワーストーンとプリザーブドフラワーとを装飾要素とすることにより、まるでチョコレートやゼリーの様なフラワー菓子でデコレートしたようなホールケーキそっくりの装飾置物を、且つそれが決して食べ物ではなく、長期の耐久性、保存性を備えた置物であり、且つ人に幸運を呼ぶものとして喜ばれる装飾置物を提供することができる。
【０００８】
請求項２に記載の装飾置物によれば、上記請求項１に記載の構成による作用効果に加えて、前記大形置石の他に、ケーキ本体の上面と側周面との何れか一方若しくは両方に、装飾要素として、少なくとも、研磨された光沢のあるパワーストーンからなる小形石を散りばめて配置してあるので、ケーキ本体中央の大形置石の周囲や側周面を光沢のあるチョコレート或いはゼリーで散りばめられたかのようなホールケーキ状の置物で、且つ癒しや幸運等をもたらすとして喜ばれる石で十分に散りばめられて装飾された装飾置物を提供することができる。
【０００９】
請求項３に記載の装飾置物によれば、上記請求項１又は２に記載の構成による作用効果に加えて、ケーキ本体はスポンジ体を用いているので、重量を軽くすることができる。そしてスポンジ体の上面と側周面とを布製若しくは紙製のカバーで被覆し、そのカバーにケーキの下地色を施すことで、ホールケーキの側周面にクリームが塗られた状態に容易にすることができる。そして複数色を側周面に施せば、ケーキ本体が複数層からなるホールケーキ状の置物として容易に提供することができる。
【００１０】
請求項４に記載の装飾置物によれば、上記請求項１〜３の何れかに記載の構成による作用効果に加えて、ケーキ本体は台紙上に固着状態に配置されているので、食べ物と異なり、置物としてケーキの台紙が容易に外れないものを提供することができる。同時にケーキ本体の底を不作為のまま台紙で隠すことができる。
【００１１】
請求項５に記載の装飾置物によれば、上記請求項１〜４の何れかに記載の構成による作用効果に加えて、ケーキ本体の上面の中央部に配置される１乃至複数個のパワーストーンが、ローズクォーツであることにより、ピンク色の大形置石を中央に配置した温暖な雰囲気をもつ装飾をかもし出すと共に、恋愛成就という石言葉の享受が期待できるものとして喜ばれるホールケーキ状の装飾置物を提供することができる。
【００１２】
請求項６に記載の装飾置物によれば、上記請求項１〜４の何れかに記載の構成による作用効果に加えて、ケーキ本体の上面の中央部に配置される１乃至複数個のパワーストーンが、アメジスト、ペリドット、カーネリアン、水晶、アゲート、ロードクロサイト、ラピスラズリ、タイガーアイ、フローライト、シトリン、ガーネットの中から選ばれる１乃至複数種類のパワーストーンであることにより、それらの各パワーストーンの持つ色、模様、輝きからなる装飾を中央に備えると共に、それらの各パワーストーンが有する石言葉の享受が期待できるホールケーキ状の装飾置物を提供することができる。
【００１３】
請求項７に記載の装飾置物によれば、上記請求項１〜６の何れかに記載の構成による作用効果に加えて、パワーストーンは、透明、半透明、不透明からなる貴石、半貴石のうち、透明〜半透明のものと、不透明のものとを組み合わせて用いているので、透明や不透明の貴石、半貴石が混ざりあった煌びやかな装飾からなるホールケーキ状の装飾置物を提供することができる。
【図面の簡単な説明】
【００１４】
【図１】本考案の実施形態に係る装飾置物の斜視図である。
【図２】本考案の実施形態に係る装飾置物のケーキ本体を示す図である。
【図３】本考案の実施形態に係る装飾置物において装飾要素のうち小形石を取り除いた状態を示す図である。
【考案を実施するための形態】
【００１５】
以下の図面を参照して、本考案に装飾置物を説明し、本考案の理解に供する。しかし、以下の説明は本考案の実用新案登録請求の範囲に記載の考案を限定するものではない。
【００１６】
図１に示すように、本考案に係る装飾置物は、ケーキ本体１と台紙２とからなる。
前記ケーキ本体１は、円形に構成されている。
図２を参照して、ケーキ本体１は、短円柱に構成されたプラスチック製やゴム製等のスポンジ体１０を芯材としている。
前記スポンジ体１０は、その下面を前記台紙２の上面に配置し、固着状態に接着している。また前記スポンジ体１０は、その上面１０ａと側周面１０ｂとを布製のカバー２０で被覆している。前記布製のカバー２０は、代わりに紙製のカバーであってもよい。
前記カバー２０は、ケーキの下地色としての色が施されている。例えばスポンジ体１０の上面１０ａを被覆するカバーは、ケーキの上面に塗られる暖色系のクリームとおぼしき色を施している。またスポンジ体１０の側周面１０ｂを被覆するカバー２０は、下層と上層を白色のクリームとおぼしき色、中間層を前記下層、上層とは異なる色として３層のスポンジケーキのようにしている。勿論、前記スポンジ体１０の上を被覆するカバー２０の色は、種々の色を組み合わせて用いることができる。
【００１７】
図１、図３を参照して、装飾要素について説明する。なお図３は、ケーキ本体１と台紙２の配置を説明するため、装飾要素のうち後述する小形石を取り除いた状態を示す。
前記スポンジ体１０の上面１０ａと側周面１０ｂとを布製のカバー２０で被覆してなるホールケーキ状のケーキ本体１は、その上面と側周面に装飾要素３０を施している。この装飾要素３０は、デコレーションケーキのデコレーションに相当するものである。
装飾要素３０の主たる１つは、パワーストーンからなる大形置石３１である。
前記大形置石３１は、ケーキ本体１の上面の中央部に、１乃至複数個が固着して配置される。本実施形態では３個の大形置石３１を、相互に寄せ置きして配置している。
前記大形置石３１であるパワーストーンは、十分に研磨された光沢のある状態とされている。また適当に丸みを帯びた状態とされている。このような研磨された光沢のあるパワーストーンが大形置石３１として置かれることで、ケーキ本体１の上面中央に光沢のあるチョコレート或いはゼリーが施されたようなホールケーキの様相となる。
【００１８】
前記大形置石３１を構成するパワーストーンは、ローズクォーツとする。ローズクォーツはピンク色をしており、恋愛成就の石言葉がある。従ってローズクォーツを用いた本装飾置物は、ホールケーキとそっくりの置物としての価値があると共に、恋愛成就を願う人にとっての石言葉の享受或いは願いの実現の期待を高めるものとしての価値があり、そのような期待を引き寄せるものとして喜ばれる装飾置物となる。
前記大形置石３１を構成するパワーストーンとしては、ローズクォーツの他、アメジスト、ペリドット、カーネリアン、水晶、アゲート、ロードクロサイト、ラピスラズリ、タイガーアイ、フローライト、シトリン、ガーネット、更にはアクアマリン、アパタイト、トルマリン等の貴石、半貴石を１乃至複数個用いることができる。複数個とする場合は、同種若しくは異種の組み合わせとすることができる。
【００１９】
前記装飾要素３０の他の１つは、研磨され、光沢のあるパワーストーンからなる小形石３２である。この小形石３２は前記ケーキ本体１の上面の大形置石３１の周囲や側周面に散りばめて固着状態に配置している。この小形石３２は、主として水晶片を用いる。水晶片を磨いて氷砂糖のような或いは透明、半透明の固形のゼリーのような菓子が散りばめられた態様にしている。勿論、小形石３２は他のパワーストーンと組み合わせて用いることができる。また本実施形態のように、小形石に水晶片を用いることにより、それを通して下のスポンジ体１０を被覆するカバー２０（ケーキ本体１）に施された色が透けて見え、複数層からなるホールケーキのようになる。
【００２０】
前記装飾要素３０の他の主たる要素は、プリザーブドフラワー３３である。このプリザーブドフラワー３３はケーキ本体１の上面において、前記パワーストーンからなる大形置石３１の周りに、複数を容易に外れないように固着して配置する。本実施形態では３個のプリザーブドフラワー３３を等間隔で大形置石３１の周囲に配置している。このプリザーブドフラワー３３の配置により、前記大形置石３１を一層際立って目立たせることができると共に、本物の花のようなフラワー菓子が施されたと思わせるホールケーキ状の装飾置物を提供することができる。そして前記パワーストーンからなる大形置石３１や小形石３２とプリザーブドフラワー３３からなる長期の保存に適したホールケーキ状の装飾置物を提供することができる。
【００２１】
装飾要素３０としては、前記大形置石３１、小形石３２、プリザーブドフラワー３３の他に、葉っぱ３４や実３５等の保存性のよい飾りをケーキ菓子に似せた状態にして、固定配置することができる。
【００２２】
前記台紙２は、プラスチックや紙製のものを透かし織り状にしたものを用いることができる。勿論、台紙２は他の種々の模様を施したものを用いることができる。台紙２はホールケーキの台紙として円形状のものが好ましい。
【産業上の利用可能性】
【００２３】
本考案は癒しの効果や幸運等をもたらす力を持つとされるパワーストーンとプリザーブドフラワーを用いてホールケーキ状に構成した装飾置物として、装飾置物を製造し、また販売する産業において利用することができる。
【符号の説明】
【００２４】
１        ケーキ本体
２        台紙
１０      スポンジ体
１０ａ    上面
１０ｂ    側周面
２０      カバー
３０      装飾要素
３１      大形置石
３２      小形石
３３      プリザーブドフラワー
３４      葉っぱ
３５      実
【図１】
0003173599.tif 000003
【図２】
0003173599.tif 000004
【図３】
0003173599.tif 000005